(57)【要約】【課題】  カメラのコストアップや大型化を招くことなく、主被写体が綺麗に写った画像を得ることのできるカメラを提供する。【解決手段】  露出制御値の算出後（ステップ♯４）、測距部１０は測距エリア内の被写体を撮像し（ステップ♯６）、主副被写体検出部３８は、小エリアごとに被写体距離を算出し、この被写体距離を用いて主被写体及び副被写体を検出する（ステップ♯７，♯８）。そして、ガイドナンバー算出部３９は、主副被写体検出部３８により検出された主被写体の被写体距離ｄ１と、露出制御値算出部により算出された絞り値Fnoとから、ガイドナンバーを算出する（ステップ♯９）。次に、ガイドナンバー補正部４０は、記憶部４３からフラッシュ配光特性及び像面照度特性を読み出し（ステップ♯１０，♯１１）、これらの特性と撮影領域における主被写体の位置とに応じて、ステップ♯９で算出されたガイドナンバーを用いて補正する（ステップ♯１２）。【選択図】      図１２
2005055570.tif 000002
【特許請求の範囲】
【請求項１】
光学系により結像された被写体の光像を光電変換する撮像部と、
被写体に閃光を照射する閃光出力部と、
主被写体を検出する主被写体検出部と、
前記撮像部への露光量を導出する露光量導出部と、
前記閃光出力部の配光特性及び前記光学系の像面照度特性を記憶する記憶部と、
前記閃光出力部により被写体に閃光を照射してこの被写体の光像を前記撮像部に光電変換させる際、前記配光特性及び像面照度特性と前記主被写体の撮影領域における位置とに応じて、前記導出された露光量を補正する露光量補正部と
を備えることを特徴とするカメラ。
【請求項２】
前記主被写体を含む被写体の輝度を検出する被写体輝度検出部を備え、前記露光量補正部は、前記主被写体の被写体輝度と他の被写体の被写体輝度との関係に応じて、前記補正した露光量を再度補正することを特徴とする請求項１に記載のカメラ。
【請求項３】
前記主被写体検出部は、前記主被写体に次いで重要度の高い副被写体を検出する機能を備え、前記露光量補正部は、主被写体の被写体距離と前記副被写体の被写体距離との関係に応じて、前記補正した露光量を再度補正することを特徴とする請求項１または２に記載のカメラ。
【請求項４】
前記主被写体検出部は、前記主被写体に次いで重要度の高い副被写体を検出する機能を備え、前記露光量補正部は、撮像領域の中心部から主被写体までの距離と前記中心部から副被写体までの距離との関係に応じて、前記補正した露光量を再度補正することを特徴とする請求項１ないし３のいずれかに記載のカメラ。
【請求項５】
絞りと、前記露光量補正部により補正された露光量に基づき、前記絞りの開口径を制御する絞り制御部とを備えることを特徴とする請求項１ないし４のいずれかに記載のカメラ。
【請求項６】
前記露光量補正部により補正された露光量に基づき、前記閃光出力部により照射される閃光の光量を制御する閃光制御部を備えることを特徴とする請求項１ないし５のいずれかに記載のカメラ。
【発明の詳細な説明】
【技術分野】
【０００１】
本発明は、被写体に閃光を照射するフラッシュ等の閃光発光部を備えるカメラに関し、特に閃光発光部により閃光を照射して撮影を行った場合の主被写体の露光量を制御するカメラに関する。
【背景技術】
【０００２】
例えば撮影領域の中央部の画像を用いて合焦動作を行うカメラで、その被写体を撮影領域の周辺側に配置して撮影しようとする場合、撮影者がその主被写体に焦点を合わせた状態でロックし、カメラの向きを変更して該被写体を撮影領域の周辺側の所望の位置に配置した後、シャッターボタンで撮影指示を行うことで、周辺側に配置した主被写体にピントが合った画像を得ることができる。
【０００３】
ところで、フラッシュにより被写体に閃光を照射して撮像する場合、通常、撮影領域内の被写体に照射される閃光の光量は、撮影領域の中心部に位置する被写体に適切な光量の閃光が照射されるように設定されているとともに、撮影領域の中心部から周辺に向かうにつれて滑らかに減少していく。また、撮影レンズは、該撮影レンズの外周側に入射する光が、撮影レンズに対して斜めに入射することにより、撮影レンズの単位面積あたりに入射される光量が、撮影レンズの中央部に入射する光よりも少なくなる結果、撮影領域の周辺側に行くにつれて暗くなる。
【０００４】
したがって、従来では、上記のように主被写体を撮影領域の周辺側に配置した状態でフラッシュにより被写体に閃光を照射して撮影を行う場合、主被写体の光像が撮像素子の撮像面に適切な露光量で露光されないこととなり、その結果、主被写体が暗い画像となる。
【０００５】
下記特許文献１には、主被写体が適切に露光されるようにすることを目的として、照明光を発光するキセノン管と、その光を被写体の方向に反射する反射傘と、光束を広げる光学パネルとを備え、キセノン管、反射傘及び光学パネルのうちいずれかがアクチュエータの駆動により他の部材に対して相対的に移動するように構成したものが開示されている。
【特許文献１】特開２００１−２１９６２号公報
【発明の開示】
【発明が解決しようとする課題】
【０００６】
しかしながら、前記特許文献１にあっては、キセノン管、反射傘及び光学パネルのうちいずれかを駆動する部材や機構が必要となり、カメラのコストアップや大型化を招来することとなる。
【０００７】
本発明は、このような事情に鑑みてなされたものであり、カメラのコストアップや大型化を招くことなく、主被写体が綺麗に写った画像を得ることのできるカメラを提供することを目的とする。
【課題を解決するための手段】
【０００８】
請求項１に記載の発明は、光学系により結像された被写体の光像を光電変換する撮像部と、被写体に閃光を照射する閃光出力部と、主被写体を検出する主被写体検出部と、前記撮像部への露光量を導出する露光量導出部と、前記閃光出力部の配光特性及び前記光学系の像面照度特性を記憶する記憶部と、前記閃光出力部により被写体に閃光を照射してこの被写体の光像を前記撮像部に光電変換させる際、前記配光特性及び像面照度特性と前記主被写体の撮影領域における位置とに応じて、前記導出された露光量を補正する露光量補正部とを備えることを特徴とするカメラである。
【０００９】
請求項２に記載の発明は、請求項１に記載のカメラにおいて、前記主被写体を含む被写体の輝度を検出する被写体輝度検出部を備え、前記露光量補正部は、前記主被写体の被写体輝度と他の被写体の被写体輝度との関係に応じて、前記補正した露光量を再度補正することを特徴とするものである。
【００１０】
請求項３に記載の発明は、請求項１または２に記載のカメラにおいて、前記主被写体検出部は、前記主被写体に次いで重要度の高い副被写体を検出する機能を備え、前記露光量補正部は、主被写体の被写体距離と前記副被写体の被写体距離との関係に応じて、前記補正した露光量を再度補正することを特徴とするものである。
【００１１】
請求項４に記載の発明は、請求項１ないし３のいずれかに記載のカメラにおいて、前記主被写体検出部は、前記主被写体に次いで重要度の高い副被写体を検出する機能を備え、前記露光量補正部は、撮像領域の中心部から主被写体までの距離と前記中心部から副被写体までの距離との関係に応じて、前記補正した露光量を再度補正することを特徴とするものである。
【００１２】
請求項５に記載の発明は、請求項１ないし４のいずれかに記載のカメラにおいて、絞りと、前記露光量補正部により補正された露光量に基づき、前記絞りの開口径を制御する絞り制御部とを備えることを特徴とするものである。
【００１３】
請求項６に記載の発明は、請求項１ないし５のいずれかに記載のカメラにおいて、前記露光量補正部により補正された露光量に基づき、前記閃光出力部により照射される閃光の光量を制御する閃光制御部を備えることを特徴とするものである。
【発明の効果】
【００１４】
請求項１に記載の発明によれば、閃光出力部により被写体に閃光を照射してこの被写体の光像を前記撮像部に光電変換させる際、前記配光特性及び像面照度特性と主被写体の撮影領域における位置とに応じて、導出された露光量を補正するようにしたので、主被写体の光像が撮像部に適切な露光量で露光される。
【００１５】
請求項２に記載の発明によれば、主被写体の被写体輝度と他の被写体の被写体輝度との関係に応じて、前記補正した露光量を再度補正するようにしたので、主被写体の光像が撮像部に適切な露光量で露光されるように露光量を補正することで他の被写体の画像が白く飛んだ画像となるのを防止または抑制することができる。
【００１６】
請求項３に記載の発明によれば、主被写体の被写体距離と前記副被写体の被写体距離との関係に応じて、前記補正した露光量を再度補正するようにしたので、主被写体の光像が撮像部に適切な露光量で露光されるように露光量を補正することで他の被写体の画像が白く飛んだ画像となるのを防止または抑制することができる。
【００１７】
請求項４に記載の発明は、撮像領域の中心部から主被写体までの距離と前記中心部から副被写体までの距離との関係に応じて、前記補正した露光量を再度補正するようにしたので、主被写体の光像が撮像部に適切な露光量で露光されるように露光量を補正することで他の被写体の画像が白く飛んだ画像となるのを防止または抑制することができる。
【００１８】
請求項５に記載の発明によれば、前記補正された露光量に基づき、絞りの開口径を制御するようにしたので、主被写体または主被写体を含む被写体全体が暗すぎたり明るすぎたりすることなく、綺麗な画像を得ることができる。
【００１９】
請求項６に記載の発明によれば、前記補正された露光量に基づき、閃光出力部により照射される閃光の光量を制御するようにしたので、主被写体または主被写体を含む被写体全体が暗すぎたり明るすぎたりすることなく、綺麗な画像を得ることができる。
【発明を実施するための最良の形態】
【００２０】
以下、本発明に係るカメラの実施形態を図面に基づいて説明する。
【００２１】
図１は、カメラの構成を示す正面図、図２は、カメラの背面図である。
【００２２】
図１，図２に示すように、カメラ１は、前面適所に配設された撮像光学系２と、上面適所に配設されたモード設定ダイヤル３と、上方角部に配設されたシャッターボタン４、ファインダーの下方に配設されたＬＣＤ（Liquid Crystal Display）５と、ＬＣＤ５の側方に配設された十字選択ボタン６と、ＬＣＤ５の下方に配設された設定ボタン７と、背面適所に配設された電子ビューファインダー（Electoronic view finder  ＥＶＦ）８と、撮像光学系２の上方に配設された測光部９と、測光部９に隣接して配置された測距部１０と、電子ビューファインダーの上方に配設されたフラッシュ１１とを備えている。
【００２３】
撮像光学系２は、図５を参照して、撮影倍率を変更するためのズームレンズ１６及び焦点を調節するためのフォーカスレンズ１７を含む撮影レンズや絞り１８を、カメラ本体１ａから突出して備えられた鏡胴内に光軸方向に配設してなり、被写体の光像を撮像素子２０（図５参照）に結像するものである。ズームレンズは、十字選択ボタン６の操作により光軸方向に移動する。
【００２４】
モード設定ダイヤル３は、カメラ１の上面と略平行な面内で回動可能な略円盤状の部材であり、静止画や動画を撮影する撮影モードや撮影画像を再生する再生モード、あるいは電源のＯＮ／ＯＦＦの切替え等、カメラ１に搭載されたモードや機能を択一的に選択するためのものである。図示はしないが、モード設定ダイヤル３の上面には、外周縁に沿って各機能を示すキャラクターが所定の間隔で表記されていて、カメラ本体１ａ側に設けられた指標と対向する位置にセットされたキャラクターに対応する機能が実行される。
【００２５】
シャッターボタン４は、半押し（Ｓ１：ＯＮ）及び全押し（Ｓ２：ＯＮ）の２段階で押圧操作されるボタンである。撮影モードにおいて、シャッターボタン４が操作されていない状態では、１／３０（秒）毎に被写体の光学像が取り込まれて、ＬＣＤ５へのライブビュー画像の表示が行われ、シャッターボタン４が半押しされると、ライブビュー画像の表示に加えてカメラ１がシャッタースピードの設定等が行われる撮像待機状態に設定され、さらに全押しされると、後述の画像記憶部３２に記録する被写体像の撮像が行われる。
【００２６】
ＬＣＤ５は、カラー液晶パネルを備えてなり、撮影画像のモニタ表示（ライブビュー画像の表示に相当）及び記録画像の再生表示を行うとともに、カメラ１に搭載される機能やモードの設定画面を表示するものである。
【００２７】
十字選択ボタン６は、十字状に配置されたボタンＺ１〜Ｚ４を備え、ズームレンズをワイド方向やテレ方向に移動させて撮影倍率の変更を行ったり、露出補正を行ったりするためのものである。
【００２８】
設定ボタン７は、カメラ１に搭載された各種の機能に対する操作を行うボタンである。
【００２９】
本実施形態のカメラ１は、撮影者が測距点を指定し、その測距点における測距値（被写体距離）を用いて焦点調節を行うモードを備えており、設定ボタン７にはカメラ１をこのモードに設定する機能が、十字選択ボタン６には測距点を指定する機能が付加されている。これらの機能については後述する。
【００３０】
ＥＶＦ８は、カラー液晶パネルや接眼レンズを備えてなり、撮影領域内の被写体の画像を表示するものであり、接眼窓８ａから覗き込むことで被写体像を視認することができる。
【００３１】
測光部９は、図示はしないが、測光用光学系と該光学系により結像された光像を撮像する測光センサとを備え、これらの部材を用いて測光を行うものである。測光部９の出力から被写体輝度が算出され、検出された被写体輝度は、露出制御値（絞り値とシャッタースピードに対応する撮像素子２０の露光時間）を決定するのに用いられる。
【００３２】
図３（ａ）は、本実施形態における測距部１０の内部構成を示す断面図、図３（ｂ）は、測距部１０の構成を示す図である。
【００３３】
測距部１０は、図３（ａ）に示すように、撮像光学系２の光軸と異なる光軸を有し、並列に配置された一対の測距用光学系１１，１２と、この測距用光学系１１，１２の略結像面に配置された測距センサ部１３とを備え、これらの光学系１１，１２と測距センサ部１３とを用いてパッシブ方式により被写体を撮像する。測距部１０は、撮像倍率の変化に伴って測距範囲が相対的に変化し、ＬＣＤ５及びＥＶＦ８に設けられた図略の指標で指定される範囲の画像を測距センサ部１３で撮像する。
【００３４】
図３（ｂ）に示すように、測距センサ部１３は、例えばＣＣＤ等の固体撮像素子からなる複数のラインセンサＬ１〜Ｌ１０と、各ラインセンサＬ１〜Ｌ１０に対してデータ転送用の駆動信号を生成する図略の制御回路とを備えて構成されている。
【００３５】
ラインセンサＬ１〜Ｌ１０の長手方向をＸ軸方向、該Ｘ軸方向に垂直な方向をＹ軸方向とすると、Ｙ軸方向に所定の間隔で略平行に配設されたラインセンサＬ１〜Ｌ５からなるラインセンサ群１４と、Ｙ軸方向に前記所定の間隔で略平行に配設されたラインセンサＬ６〜Ｌ１０からなるラインセンサ群１５とがＸ軸方向に所定の間隔を介して並設されている。
【００３６】
ラインセンサ群１４の撮像面には、測距用光学系１１により被写体光像が結像される一方、ラインセンサ群１５の撮像面には、測距用光学系１２により被写体光像が結像され、各ラインセンサ群１４，１５から出力される画素信号に基づき、周知技術である三角測距の原理により被写体までの距離（被写体距離）が検出される。
【００３７】
図３，図４（ａ）に示すように、ラインセンサ群１４またはラインセンサ群１５により測距される範囲（以下、測距エリアという）ＡＲ２は、撮影領域（撮影範囲）ＡＲ１の例えば７０％の面積を有するハッチングで示された範囲に設定されている。
【００３８】
本実施形態のカメラ１は、前述したように、撮影者が測距点を指定し、その測距点に対して算出された測距値（被写体距離）を用いて焦点調節を行う機能を備えている。
【００３９】
図４（ａ）に示すように、撮影者が測距点を指定できるモードに設定されているときには、ＬＣＤ５やＥＶＦ８の撮影画面内に、測距点を指定するためのカーソルＸが表示される。そして、撮影領域ＡＲ１の左周辺領域に１人の人物を主被写体として配置し、左右に並ぶ２人の人物を副被写体として撮影領域ＡＲ１の略中央部に配置して撮影を行いたい場合、図４（ｂ）に示すように、このカーソルＸの位置をその人物の位置に合わせ、ピントを合わせたい被写体を決定する操作を十字選択ボタン６により入力すると、測距部１０により算出されたこの被写体の被写体距離に基づいて合焦動作が行われる。なお、図４（ａ）の矢印Ａは、カーソルＸの位置を主被写体の位置に合わせる操作を行ったことでカーソルＸが移動する様子を示すものである。
【００４０】
フラッシュ１１は、電気エネルギーを放電することで光エネルギーに出力するキセノン管等からなる発光管、この発光管から発する閃光（フラッシュ光）をカメラ１前方に反射する反射傘、フラッシュ光を所定の範囲に集光または拡散するフレネルレンズ、及び放電管に電気エネルギーを出力するフラッシュ制御回路（図５参照）等を備えてなる。
【００４１】
図５は、カメラ１の構成を示すブロック図である。
【００４２】
カメラ１は、撮影光学系２、撮像素子２０、信号処理部２１、Ａ／Ｄ変換部２２、タイミング制御回路２３、画像処理部２４、画像メモリ２８、ＶＲＡＭ２９，３０、駆動部３１、画像記憶部３２、入力操作部３３及び制御部３４を備えて構成されている。
【００４３】
撮影光学系２は、図１に示す撮影光学系に相当するものである。ズームレンズ１６はモータＭ１により、フォーカスレンズ１７はモータＭ２によりそれぞれ光軸方向に駆動されるとともに、絞り１８はモータＭ３により駆動される。
【００４４】
撮影光学系２には、撮影レンズの駆動に関し、撮影レンズの移動範囲内において光軸方向に複数個のコードパターンが所定ピッチで形成されたエンコード板と、このエンコード板に摺接しながら撮影レンズと一体的に移動するエンコーダブラシとを備えてなるレンズ位置検出部１９が配設されている。レンズ位置検出部１９は、エンコード板上のコードパターンをエンコーダブラシにより読み取ることで、撮影レンズの位置を検出するものである。検出される撮影レンズの位置は、焦点距離の算出に用いられる。
【００４５】
撮像素子２０は、例えばフォトダイオード等の複数の光電変換素子がマトリックス状に２次元配列され、各光電変換素子の受光面に、それぞれＲ（赤），Ｇ（緑），Ｂ（青）の色フィルタが１：２：１の比率で配設されてなるＣＣＤ（Charge Coupled Device）カラーエリアセンサである。撮像素子２０は、撮影レンズにより結像された被写体の光像をＲ（赤），Ｇ（緑），Ｂ（青）各色成分のアナログの電気信号（画像信号）に変換し、Ｒ，Ｇ，Ｂ各色の画像信号として出力する。なお、撮像素子２０は、ＣＭＯＳ（Complementary Metal-Oxide Semiconductor）等の固体撮像素子から構成されるものでもよい。
【００４６】
撮像素子２０は、後述のタイミング制御回路２３により、撮像素子２０の露出動作の開始及び終了や、撮像素子２０における各画素の出力信号の読出し（水平同期、垂直同期、転送）等の撮像動作が制御される。
【００４７】
信号処理部２１は、撮像素子２０から出力されるアナログの画像信号に所定のアナログ信号処理を施すものである。信号処理部２１は、ＣＤＳ（相関二重サンプリング）回路とＡＧＣ（オートゲインコントロール）回路とを有し、ＣＤＳ回路により画像信号のノイズの低減を行い、ＡＧＣ回路により画像信号のレベル調整を行う。
【００４８】
Ａ／Ｄ変換部２２は、信号処理部２１により出力されたアナログのＲ，Ｇ，Ｂの画像信号を、複数のビットからなるデジタルの画像信号（以下、デジタル信号という）にそれぞれ変換するものである。
【００４９】
タイミング制御回路２３は、制御部３４から出力される基準クロックＣＬＫ０に基づき、クロックＣＬＫ１，ＣＬＫ２を生成し、クロックＣＬＫ１を撮像素子２０に、また、クロックＣＬＫ２をＡ／Ｄ変換部２２に出力することにより、撮像素子２０及びＡ／Ｄ変換部２２の動作を制御する。
【００５０】
画像処理部２４は、Ａ／Ｄ変換部２２によりＡ／Ｄ変換されたＲ，Ｇ，Ｂの各デジタル信号に、黒レベルを基準の黒レベルに補正する黒レベル補正回路２５、光源に応じた白の基準に基づいて、Ｒ（赤）、Ｇ（緑）、Ｂ（青）の各色成分のデジタル信号のレベル変換を行うホワイトバランス回路２６、及びＲ（赤），Ｇ（緑），Ｂ（青）の各色のデジタル信号のγ特性を補正するγ補正回路２７を備える。
【００５１】
画像メモリ２８は、画像処理部２４から出力される画像データを一時的に記憶するとともに、この画像データに対し制御部３４により後述の処理を行うための作業領域として用いられるメモリである。
【００５２】
ＶＲＡＭ２９は、ＬＣＤ５の画素数に対応した画素信号の記録容量を有し、制御部３４とＬＣＤ５とのバッファメモリであり、ＶＲＡＭ３０は、ＥＶＦ８の画素数に対応した画素信号の記録容量を有し、制御部３４とＥＶＦ８とのバッファメモリである。
【００５３】
駆動部３１は、ズームレンズを光軸方向に駆動するモータＭ１、フォーカスレンズを光軸方向に駆動するモータＭ２、絞りを駆動するモータＭ３等を備えてなるものである。
【００５４】
画像記憶部３２は、メモリカードやハードディスクなどからなり、制御部３４で生成された画像を保存するものである。
【００５５】
入力操作部３３は、前述のモード設定ダイヤル３、シャッターボタン４、十字選択ボタン６及び設定ボタン７等を含むものである。
【００５６】
制御部３４は、例えば制御プログラムを記憶するＲＯＭや一時的にデータを記憶するＲＡＭからなる記憶部（後述する記憶部４３）が内蔵されたマイクロコンピュータからなり、カメラ１に備えられた各部材の駆動を互いに関連付けて制御するものである。制御部３４は、被写体輝度検出部３５と、露出制御値算出部３６と、焦点距離算出部３７とを備える。
【００５７】
被写体輝度検出部３５は、測光部９の出力に基づき、被写体輝度を検出するものである。
【００５８】
露出制御値算出部３６は、被写体輝度検出部３５により検出された被写体輝度に基づき、露出制御値（シャッタースピード及び絞り値）を算出するものである。露出制御値算出部３６は、主被写体が撮影領域の中央部に配置されているものと仮定して、その中央部の被写体輝度に基づき露出制御値の算出を行う。
【００５９】
焦点距離算出部３７は、レンズ位置検出部１９の出力に基づき、焦点距離を算出するものである。
【００６０】
ところで、前述のフラッシュ１１により被写体を照射した場合、撮影領域内の被写体に照射される閃光の光量は、通常、撮影領域の中心部に位置する被写体に適切な光量の閃光が照射されるように設定されており、また、撮影領域の中心部から周辺に向かうにつれて滑らかに減少していく分布となる。
【００６１】
図６は、矢印Ｂで示す撮影領域内の被写体に閃光を照射した場合に、その撮影領域の中心領域ａと周辺領域ｂ〜ｄとの照射光の光量差の一例を、ＥＶ（Exposure Value）値で表したものである。
【００６２】
図６においては、中心領域ａの外側の周辺領域ｂは、例えば０．２ＥＶだけ中心領域ａに比して不足し、周辺領域ｂの外側の周辺領域ｃは、例えば０．４ＥＶだけ中心領域ａに比して不足し、さらに周辺領域ｃの外側の周辺領域ｄは、例えば１．０ＥＶだけ中心領域ａに比して不足することを示している。以下、このような光量の分布を有するフラッシュ１１の照射光の光量特性をフラッシュ配光特性という。
【００６３】
また、撮影レンズは、該撮影レンズの外周側に入射する光が撮影レンズに対して斜めに入射することにより、撮影レンズの単位面積あたりに入射される光量が、撮影レンズの中央領域に入射する光よりも少なくなる結果、撮影領域の周辺側に行くにつれて暗くなる特性を有する。
【００６４】
図７は、矢印Ｃで示す撮影領域内の被写体の光像を撮影レンズを透過させたとき、撮影領域の中心領域ｅと周辺領域ｆ，ｇとの透過光の光量差の一例を、ＥＶ（Exposure Value）値で表したものである。
【００６５】
図７においては、中心領域ｅの外側の周辺領域ｆは、例えば０．２ＥＶだけ中心領域ｅに比して不足し、周辺領域ｆの外側の周辺領域ｇは、例えば０．４ＥＶだけ中心領域ａに比して不足することを示している。以下、このような光量の分布を有する撮影レンズの透過光の光量特性を像面照度特性という。
【００６６】
これらの特性により、主被写体が撮影領域の周辺領域に配置された状態でフラッシュ撮影を行った場合、撮像素子２０の撮像面への主被写体の光像の露光量が不足することとなり、主被写体の画像が暗くなる。
【００６７】
そこで、本実施形態では、主被写体の光像が撮像素子２０の撮像面に適切な露光量で露光されるように、フラッシュによる閃光の照射量を調整するようにしている。
【００６８】
また、撮影領域内に、主被写体の次に重要度が高いと考えられる被写体（以下、副被写体という）が存在する場合には、前述の照射量の調整により副被写体の露光量が過大となり、該副被写体の画像が白く飛んだ画像となる、所謂白飛びが発生するのを防止または抑制するため、その調整した照射量を再度調整するようにしている。
【００６９】
このような機能を実現するため、制御部３４は、さらに、主副被写体検出部３８と、ガイドナンバー算出部３９と、ガイドナンバー補正部４０と、ガイドナンバー再補正部４１と、発光制御部４２と、記憶部４３とを備える。
【００７０】
主副被写体検出部３８は、測距部１０から出力される画素信号を用いて主被写体及び副被写体を検出するものである。以下、この検出方法について説明する。
【００７１】
後述するように、本実施形態では、撮像素子２０の撮像領域を複数のブロックに分割して各ブロックの画像についてそれぞれ被写体距離を算出し、これらの被写体距離から主被写体及び副被写体を検出する方法を採用する一方、被写体距離については、測距部１０の出力から算出するため、各ブロックの被写体距離を測距部１０の出力から導出するためには、測距部１０の各画素とブロックとを対応付ける必要がある。
【００７２】
図８は、測距部１０の各画素とブロックとを対応付ける方法を示す図であり、図８（ａ）は、矢印Ｄで示す領域の被写体を測距部１０により撮像し、図８（ｂ）は、これとほぼ同じ領域の被写体を撮像素子２０により撮像した場合を示している。
【００７３】
まず、図８（ａ）に示すように、主副被写体検出部３８は、測距部１０の各ラインセンサの撮像領域を、それぞれその長手方向に所定数（ｉ個とする）の小エリアに分割し、各小エリアにおける画素データから小エリアごとに被写体距離を算出する。
【００７４】
一方、図８（ｂ）に示すように、主副被写体検出部３８は、撮像素子２０の撮像領域を縦ｍ個、横ｎ個の小ブロックに分割する。その際、撮像素子２０の撮像領域を、測距部１０のラインセンサ数だけ縦方向に分割し、１ラインセンサの分割数（ｉ個）だけ横
方向に分割する。すなわち、ラインセンサの数をｊとすると、ｍ＝ｊ，ｎ＝ｉとする。
そして、撮像領域の各小ブロックとラインセンサの小エリアとを１対１で対応させ、ラインセンサの各小エリアに対応する被写体距離を、対応する小ブロックの被写体距離として設定する。すなわち、上からｂ番目（１≦ｂ≦５（本実施形態におけるラインセンサ群におけるラインセンサの本数））に位置するラインセンサであって左からａ番目（１≦ａ≦ｉ）に位置する小エリアが、撮像領域の小ブロック（ｘ，ｙ）（１≦ｘ≦ｎ，１≦ｙ≦ｍ）に対応するものとすると、その小エリア（ａ，ｂ）内の被写体の被写体距離を、小ブロック（Ｘ，Ｙ）における被写体距離とする。
【００７５】
そして、例えば本出願人が提案した特開平１４−２９８１３８号の技術を採用して、主被写体（人物）を検出する。すなわち、撮影領域の横方向をＸ軸、縦方向をＹ軸とするとともに、被写体距離をＸＹ平面に垂直な軸（Ｚ軸）とする３次元座標系を設定し、各測距点に対応する被写体距離をこの座標系にプロットすることで得られる３次元の距離画像を生成する。そして、実際の人間の顔幅と胴幅の比などに基づき、この距離画像から人物を検出する。
【００７６】
主副被写体検出部３８は、撮影領域内に人物が１人存在する場合、それを主被写体とし、その主被写体に加えてカメラ１に比較的近い位置（被写体距離が比較的小さい位置）に、人物以外の被写体（例えば自動車や建物など）が存在する場合には、その被写体を副被写体とする。また、撮影領域内に離間して２人以上の人物が存在する場合は、後述する方法により特定された位置に配置された被写体（もしくは複数の被写体）を主被写体、残りの被写体を副被写体とする。
【００７７】
主被写体も副被写体も人物である場合、主副被写体検出部３８は、主被写体と副被写体との区別を例えば次のようにして行う。
【００７８】
通常、離間する２人以上の人物を撮影する場合、主被写体を副被写体より撮影領域の中央側に配置すると考えられることから、主副被写体検出部３８は、離間する複数の人物の被写体のうち、撮影領域においてより中央側に位置する人物を主被写体として設定する。また、主被写体が副被写体よりカメラ１に近い位置にあることが多いことから、被写体距離が小さい被写体（よりカメラ１側に位置する被写体）を主被写体として設定する。
【００７９】
また、前述したように、本実施形態のカメラ１は、測距点を指定するモードを有しており、このモードにおいて測距点が指定された場合には、測距点として指定された位置にある被写体を主被写体とし、それ以外の人物を副被写体として設定する。この場合、主被写体が副被写体より撮影領域の周辺側に配置されたり、主被写体が副被写体よりカメラ１から遠い位置にあるようなときでも、主被写体と副被写体との区別を行うことができる。
【００８０】
そして、主副被写体検出部３８は、以上のようにして主被写体及び副被写体を検出すると、主被写体及び副被写体が属するブロックの被写体輝度を、その主被写体及び副被写体の輝度として設定する。
【００８１】
ガイドナンバー算出部３９は、主副被写体検出部３８により検出された主被写体の被写体距離ｄ１と、露出制御値算出部３６により算出された絞り値Ｆnoとから、下記式１に基づきガイドナンバーＧＮを算出するものである。ガイドナンバー算出部３９は、特許請求の範囲の露光量導出部を構成するものである。
【００８２】
ＧＮ＝ｄ１×Ｆno      ・・・（１）
ガイドナンバー補正部４０は、主副被写体検出部３８により検出された主被写体の位置と、記憶部４３に記憶されたフラッシュ配光特性及び像面照度特性とに応じて、ガイドナンバー算出部３９により算出されたガイドナンバーＧＮを補正するものである。ガイドナンバー補正部４０は、特許請求の範囲の露光量補正部を構成するものである。
【００８３】
例えば、フラッシュ配光特性及び像面照度特性が図６，図７に示すものであって、フラッシュ配光分布の−０．４ＥＶの領域で、且つ像面照度分布の−０．２ＥＶの領域に主被写体が配置されたときに、ガイドナンバー補正部４０は、次のようにしてガイドナンバーＧＮを補正する。
【００８４】
まず、フラッシュ配光特性において、中心領域ａに対する相対的な光量値（以下、相対光量値という）をＤ１と表すものとすると、主被写体がフラッシュ配光分布の−０．４ＥＶの領域に配置された場合、Ｄ１＝−０．４ＥＶとなる。また、像面照度特性において、中心領域ｅに対する相対光量値をＤ２と表すものとすると、像面照度分布の−０．２ＥＶの領域に主被写体が配置されたとき、Ｄ２＝−０．２ＥＶとなる。したがって、フラッシュ配光特性及び像面照度特性により、この位置に配置された主被写体は、中心領域ａに対する相対光量値は、Ｄ１＋Ｄ２＝−０．６ＥＶとなり、中心領域ａに比して０．６ＥＶだけ光量が不足することとなる。
【００８５】
このようにして、図６に示すフラッシュ配光特性と図７に示す像面照度特性とに基づき、撮影領域内の全ての領域について相対光量値の光量分布を求めたものを、図９に示す。この光量分布は、フラッシュの配光分布及び撮影レンズの像面照度分布において、対応する領域の相対光量値Ｄ１とＤ２とを足し合わせることで得られる。
【００８６】
すなわち、図９に示すように、図６における各領域ａ〜ｄ、図７における各領域ｅ〜ｇの大きさが、領域ａ＝領域ｅ，領域ｃ＜領域ｆ，領域ｄ＝領域ｇである場合、中心領域ａ（または領域ｅ）の相対光量値は０ＥＶとなる。また、周辺領域ｂの相対光量値は−０．４ＥＶ（＝−０．２ＥＶ＋（−０．２ＥＶ））、周辺領域ｃの相対光量値は−０．６ＥＶ（＝−０．４ＥＶ＋（−０．２ＥＶ））、周辺領域ｆの相対光量値は−１．２ＥＶ（＝−０．２ＥＶ＋（−１．０ＥＶ））、周辺領域ｄ（ｇ）の相対光量値は−１．４ＥＶ（＝−１．０ＥＶ＋（−０．４ＥＶ））となる。
【００８７】
以上のように、ガイドナンバー補正部４０は、フラッシュ配光特性と像面照度特性による相対光量値を求めると、この主被写体の光像が撮像素子２０の撮像面に適切な露光量で露光されるように、すなわち、上記の例では、図１０に示すように、主被写体の相対光量値が０ＥＶとなるように、ガイドナンバーＧＮを補正する。
【００８８】
主被写体の相対光量値を０ＥＶとするためのガイドナンバーは、前述のようにして算出したフラッシュ配光特性及び像面照度特性による相対光量値を用い、次式（２），（３）に基づいて算出することができる。
【００８９】
ΔＥＶ＝Ｄ１＋Ｄ２          ・・・（２）
ＧＮ’＝ＧＮ／（√２）ΔEV      ・・・（３）
例えば、被写体距離ｄ１を３（ｍ）、絞り値Ｆnoを４．０として、ガイドナンバー算出部３９によりガイドナンバーＧＮが３×４．０＝１２と算出された場合に、主被写体が撮影領域の周辺領域に配置された上記の例を適用するものとすると、ΔＥＶ＝Ｄ１＋Ｄ２＝−０．６（ＥＶ）となるから、補正後のガイドナンバーＧＮ’は、ＧＮ’＝ＧＮ／（√２）ΔEV＝１２／（√２）-0.6＝１４．８となる。
【００９０】
ガイドナンバー再補正部４１は、ガイドナンバー補正部４０により算出されたガイドナンバーＧＮ’に基づいてフラッシュ撮影を行った場合に、副被写体の露光量が過大となり、該副被写体の画像が白く飛んだ画像となる、所謂白飛びが発生すると判断したときに、その算出されたガイドナンバーＧＮ’を変更するものである。
【００９１】
すなわち、主被写体の露光量が適正となるようにガイドナンバーを補正したとき、撮像素子２０への露光量は撮影領域の中央側の被写体ほど大きくなることから、図１１（ａ）に示すように、副被写体が主被写体より撮影領域の中央側に配置された場合、副被写体の露光量が主被写体の露光量より大きくなり、それらの露光量の差が大きいとき、副被写体の画像が白く飛ぶ。この場合の副被写体の露光量と主被写体の露光量との差は、撮影領域の中心から主被写体及び副被写体までの各距離の相対関係により決定する。
【００９２】
また、被写体距離が小さいほど（カメラ１に近い被写体ほど）露光量が大きくなることから、図１１（ｂ）に示すように、副被写体が主被写体よりカメラ１側に位置する場合、副被写体の露光量が主被写体の露光量より大きくなり、それらの露光量の差が大きいとき、副被写体の画像が白く飛ぶ。この場合の副被写体の露光量と主被写体の露光量との差は、主被写体及び副被写体の各被写体距離の相対関係により決定する。
【００９３】
さらに、例えば赤の服を着た副被写体や黄色の車など、被写体の輝度が大きい場合にフラッシュ撮影を行うと、副被写体の画像が白く飛ぶことがある。
【００９４】
以上のことから、ガイドナンバー再補正部４１は、撮影領域の中心から主被写体までの距離ｒ１と副被写体までの距離ｒ２との比ｒ１／ｒ２、主被写体の被写体距離ｄ１と副被写体の被写体距離ｄ２との比ｄ２／ｄ１、及び測光部９の出力から得られた副被写体の輝度に応じて、ガイドナンバー補正部４０により補正されたガイドナンバーＧＮ’を、次式（４）に基づいて再度補正する。
【００９５】
ＧＮ”＝ＧＮ’×ｋ  （ただし、ｋは正の小数）      ・・・（４）
すなわち、式（４）は、フラッシュ１１による閃光の照射により副被写体の画像が白く飛ぶのを防止または抑制するため、フラッシュ１１の発光量を、ガイドナンバー補正部４０で補正されたガイドナンバーＧＮ’に対応する発光量より小さくすることを意味する。
【００９６】
ただし、副被写体が人物以外のものである場合には、主被写体の被写体距離ｄ１と副被写体の被写体距離ｄ２との比ｄ２／ｄ１、撮影領域の中央部から主被写体までの距離ｒ１と副被写体までの距離ｒ２との比ｒ１／ｒ２、及び副被写体の輝度から、副被写体の光像が撮像素子２０の撮像面に適正に露光される露光値から予め設定した許容値を超える場合にのみ、ガイドナンバーＧＮ’の再補正を行う。
【００９７】
これは、人物以外のものである場合、若干白く飛んでいても許容範囲であることが多いため、その許容範囲内であるときには、再補正処理は行わないようにすることで、シャッターボタン４が全押しされたときに、速やかに撮像動作を実行できるようにしている。なお、前述の許容値はその許容範囲の上限値に対応する。
【００９８】
発光制御部４２は、ガイドナンバー補正部４０により算出されたガイドナンバーＧＮ’、またはガイドナンバー再補正部４１によりガイドナンバーが再補正された場合にはその補正後のガイドナンバーＧＮ”に基づき、フラッシュ１１の動作、本実施形態ではフラッシュ１１の発光時間を制御する。
【００９９】
記憶部４３は、前述のフラッシュ配光特性及び像面照度特性を記憶するものである。フラッシュ配光特性は、焦点距離に応じて異なるため、記憶部４３は、焦点距離に応じたフラッシュ配光特性を記憶している。
【０１００】
図１２は、本発明に係る露光量補正処理を含む一連の撮像動作を示すフローチャートである。なお、以下の撮像動作においては、フラッシュ１１による閃光の照射が行われることを前提とする。
【０１０１】
図１２に示すように、シャッターボタン４が半押し（Ｓ１：ＯＮ）されると（ステップ♯１でＹＥＳ）、測光部９は被写体の光像を取り込み（ステップ♯２）、被写体輝度検出部３５はこの測光部９の出力から被写体輝度を検出し（ステップ♯３）、露出制御値算出部３６はこの算出された被写体輝度に基づき、露出制御値（シャッタースピード及び絞り値）を算出する（ステップ♯４）。また、焦点距離算出部３７は、レンズ位置検出部１９により検出される撮影レンズの位置から焦点距離を算出する（ステップ♯５）。
【０１０２】
さらに、測距部１０は測距エリア内の被写体を撮像し（ステップ♯６）、主副被写体検出部３８は、小エリアごとに被写体距離を算出し、この被写体距離を用いて主被写体及び副被写体を検出する（ステップ♯７，♯８）。なお、このとき、主副被写体検出部３８は、副被写体が人物であるか否かについても判別するとともに、主被写体及び副被写体の被写体距離、被写体輝度及び撮影領域の中心からの距離についても検出する。
【０１０３】
そして、ガイドナンバー算出部３９は、主副被写体検出部３８により検出された主被写体の被写体距離ｄ１と、露出制御値算出部により算出された絞り値Ｆnoとから、ガイドナンバーＧＮを算出する（ステップ♯９）。
【０１０４】
次に、ガイドナンバー補正部４０は、記憶部４３からフラッシュ配光特性及び像面照度特性を読み出し（ステップ♯１０，♯１１）、これらの特性と撮影領域における主被写体の位置とに応じて、ステップ♯９で算出されたガイドナンバーＧＮを前述の式（２），（３）を用いて補正する（ステップ♯１２）。これは、主被写体の光像が撮像素子２０の撮像面に適切な露光量で露光されるようにするためである。
【０１０５】
さらに、副被写体が存在し（ステップ♯１３でＹＥＳ）、その副被写体が人物である場合（ステップ♯１４でＹＥＳ）には、ガイドナンバー再補正部４１は、被写体の被写体距離ｄ１と副被写体の被写体距離ｄ２との比ｄ２／ｄ１、撮影領域の中央部から主被写体までの距離ｒ１と副被写体までの距離ｒ２との比ｒ１／ｒ２、及び測光部９の出力から得られた副被写体の被写体輝度に応じて、ステップ♯９で算出されたガイドナンバーＧＮを、前記式（４）を用いて再補正する（ステップ♯１５）。このように処理しているのは、副被写体としての人物の画像が白く飛ぶのを防止または抑制するためである。
【０１０６】
一方、副被写体が人物以外のものである場合（ステップ♯１４でＮＯ）には、副被写体が適正露光値から所定値以内であるか否かを判定し（ステップ♯１６）、副被写体が適正露光値から所定値を超えるとき（ステップ♯１６でＮＯ）、ガイドナンバー再補正部４１は、被写体の被写体距離ｄ１と副被写体の被写体距離ｄ２との比ｄ２／ｄ１、撮影領域の中央部から主被写体までの距離ｒ１と副被写体までの距離ｒ２との比ｒ１／ｒ２、及び測光部９の出力から得られた副被写体の輝度に応じて、ステップ♯１２で補正されたガイドナンバーＧＮ’を、前記式（４）を用いて再補正する（ステップ♯１７）。このように処理しているのは、人物以外のものである場合、若干白く飛んでいても許容範囲であることが多いため、その許容範囲内であるときには、再補正処理は行わないようにすることで、シャッターボタン４が全押しされたときに、速やかに撮像動作を実行できるようにするためである。
【０１０７】
一方、副被写体が適正露光値から所定値以内である場合（ステップ♯１６でＹＥＳ）には、ガイドナンバー再補正部４１は、ガイドナンバーＧＮ’の再補正処理は行わないで、ステップ♯１８の処理に進む。また、ステップ♯１３において、副被写体が存在しない場合（ステップ♯１３でＮＯ）にも、ガイドナンバーＧＮ’の再補正処理は行わず、ステップ♯１８の処理に進む。
【０１０８】
そして、シャッターボタン４が全押しされる（Ｓ２：ＯＮ、ステップ♯１８でＹＥＳ）と、フラッシュ１１は、ステップ♯１２で補正されたガイドナンバーＧＮ’、またはステップ♯１５，♯１７でガイドナンバーＧＮ’が再補正された場合には、その変更後のガイドナンバーＧＮ”のフラッシュ発光量で発光を行い、撮像素子２０に露光する（ステップ♯１９）。
【０１０９】
その後、撮像素子２０の画素信号にガンマ補正やホワイトバランス等の処理を施して（ステップ♯２０）、ＬＣＤ５やＥＶＦ８に画像記憶部３２に記録する画像を表示し（ステップ♯２１）、該画像を画像記憶部３２に記録する（ステップ♯２２）。
【０１１０】
以上のように、フラッシュ配光特性及び像面照度特性と主被写体の撮影領域における位置に応じて、算出したガイドナンバーＧＮを補正するようにしたから、フラッシュ撮影を行う場合に、主被写体が暗い画像となるのを防止または抑制することができる。
【０１１１】
また、副被写体が存在する場合には、被写体の被写体距離と副被写体の被写体距離との比、撮影領域の中央部から主被写体までの距離と副被写体までの距離との比、及び測光部９の出力から得られた副被写体の輝度に応じて、補正したガイドナンバーＧＮ’を再補正するようにしたので、主被写体の光像が撮像素子２０の撮像面に適切な露光量で露光されるようにガイドナンバーＧＮを補正したことで副被写体が白飛びするのを防止または抑制することができる。
【０１１２】
本発明は、上記実施形態に限らず、次の（１）〜（４）に説明する変形形態も採用可能である。
【０１１３】
（１）上記実施形態では、算出したガイドナンバーＧＮを主被写体の撮影領域内における位置に応じて補正し、その補正後のガイドナンバーＧＮでフラッシュ１１による閃光の照射を行うようにしたが、これに限られず、ガイドナンバー算出部３９により算出されたガイドナンバーを補正する形態に代えて、露出制御値算出部３６で算出された絞り値を補正することで算出された露出制御値を補正する露出制御値補正部を備え、シャッターボタン４が全押しされると、露出制御値算出部３６で算出されたガイドナンバーＧＮでフラッシュ１１による閃光の照射を行うとともに、撮像素子２０が記録用の画像を得るための本露光動作を行う際の絞り値を前述した補正後の絞り値に設定して、撮像素子２０に露光動作を行わせるようにしてもよい。この場合、前述の露出制御値補正部は、特許請求の範囲における露光量補正部を構成する。
【０１１４】
さらに、これとは別に、ガイドナンバーや絞り値の補正を行わず、撮像素子２０から出力される画素信号のレベル（画素値）を信号処理部２１により補正することによっても、主被写体が適切な明るさで写った画像を得ることができる。
【０１１５】
また、ガイドナンバー、絞り値及び画素レベルのうち、２の要素を適宜選択しあるいは全てを選択し、それらを組み合わせて前記補正処理を行うようにしてもよい。
【０１１６】
（２）上記実施形態で説明したフラッシュ配光特性及び像面照度特性は、撮影領域の中心領域を基準（０ＥＶ）としたときの周辺領域の相対光量値で表したものであったが、これに限らず、中心領域の光量に対する比率（％）で表したものであってもよい。例えば図６に示すフラッシュ配光特性においては、各領域の相対光量値を中心領域の光量に対する光量比率Ｄ１’（％）に、図７に示す像面照度特性においては、各領域の相対光量値を中心領域の光量に対する比率Ｄ２’ （％）に変換したものであってもよい。
【０１１７】
この場合、ガイドナンバー補正部４０は、主被写体の相対光量値を０ＥＶとするためのガイドナンバーＧＮ’を、フラッシュ配光特性と像面照度特性による光量比率Ｄ１’，Ｄ２’を用い、次式（５），（６）に基づいて算出することができる。
【０１１８】
ΔＤ＝Ｄ１’×Ｄ２’          ・・・（５）
ＧＮ’＝ＧＮ／√ΔＤ      ・・・（６）
例えば、被写体距離ｄ１を３（ｍ）、絞り値Ｆnoを４．０として、ガイドナンバー算出部３９によりガイドナンバーＧＮが３×４．０＝１２と算出された場合に、前述の実施形態において中心領域に対する相対光量値が−０．６ＥＶであった主被写体について、フラッシュ配光特性における光量比率Ｄ１’が８７％、像面照度特性における光量比率Ｄ２’が７６％であったすると、ΔＤ＝Ｄ１’×Ｄ２’＝−０．６６となるから、補正後のガイドナンバーＧＮ’は、ＧＮ’＝ＧＮ／（√０．６６）＝１４．８となる。
【０１１９】
（３）上記実施形態においては、測距点として指定された位置にある被写体を主被写体とし、それ以外の人物を副被写体とすることで、主被写体が副被写体より撮影領域の周辺側に配置される場合などでも、主被写体と副被写体との区別を行うことができる旨、前述したが、この形態以外に、例えば、測距部１０により所定時間ごとに被写体の光像を取り込み、測距部１０から順次出力される画素信号に基づき、被写体の被写体距離の変化及び被写体の輪郭を検出することで、移動する被写体を検出し、該被写体を追尾するモード（以下、追尾モードという）を備え、且つ予め追尾する対象を指定する機能をカメラ１に搭載している場合でも、前述の主被写体と副被写体との区別を行うことができる。
【０１２０】
すなわち、図１３（ａ）に示すように、追尾モードが選択されるとＬＣＤ５の表示画面に表示されるフレームＦにより、例えば歩き回る子供など追尾する対象が指定されると、その追尾対象を主被写体とする。なお、フレームＦは、十字選択ボタン６の操作で移動したり、囲む領域の大きさが変化したりするようにすればよい。図１３（ｂ）は、フレームＦによって指定された追尾対象が図１３（ａ）の状態から移動した状態を示したものである。
【０１２１】
そして、シャッターボタン４が半押しされたときに、その撮影領域内に、主被写体以外の他の人物が存在する場合、その人物を副被写体とする。これにより、主被写体が副被写体より撮影領域の周辺側に位置する場合や、主被写体が副被写体よりカメラ１から遠い位置にある場合であっても、主被写体と副被写体とを区別することができる。
【０１２２】
要は、 最も重視あるいは注目したい被写体を指定する機能がカメラ１に搭載されている場合に、その機能を用いて被写体が指定されると、その被写体を主被写体とみなし、且つ、シャッターボタン４が半押しされたときに、撮影領域内にその主被写体以外の人物が存在する場合、その人物を副被写体とみなすことで、主被写体と副被写体との区別を行うことができる。
【０１２３】
（４）上記実施形態では、測距部１０の測距センサ部を、Ｙ軸方向にラインセンサを所定の間隔で略平行に配設して構成したが、これに限らず、例えば画素がマトリックス状に配置されたエリアセンサを使用してもよい。
【０１２４】
（５）上記実施形態では、キセノン管を光源とするフラッシュ１１で閃光出力部を構成したが、これに限らず、例えば高輝度ＬＥＤ（light emitting diode）などの光源を使用しても、その配光特性は、前述のフラッシュ配光特性と同様のものとなり、本発明を適用することができる。
【０１２５】
なお、上述した本発明の実施形態には、特許請求の範囲に記載した発明以外にも、以下の付記に示す発明を含む。
【０１２６】
［付記１］  光学系により結像された被写体の光像を光電変換する撮像部と、被写体に閃光を照射する閃光出力部と、主被写体を検出する主被写体検出部と、前記撮像部への露光量を算出する露光量算出部と、前記閃光出力部の配光特性及び前記光学系の像面照度特性を記憶する記憶部と、前記配光特性及び像面照度特性と前記主被写体の撮影領域における位置とに応じて、前記撮像部から出力される画素信号の画素値を調整する画素レベル調整部を備えることを特徴とするカメラ。
【０１２７】
この発明によれば、配光特性及び像面照度特性と主被写体の撮影領域における位置とに応じて、撮像部から出力される画素信号の画素値を調整するようにしたので、主被写体が適切な明るさで写った画像を得ることができる。
【０１２８】
［付記２］  前記主被写体を含む被写体の輝度を検出する被写体輝度検出部を備え、前記画素レベル調整部は、前記主被写体の被写体輝度と他の被写体の被写体輝度との関係に応じて、前記画素信号の画素値を再調整することを特徴とする付記１に記載のカメラ。
【０１２９】
この発明によれば、主被写体の被写体輝度と他の被写体の被写体輝度との関係に応じて、前記画素信号の画素値を再調整するようにしたので、撮像部から出力される画素信号の画素値を調整することで他の被写体の画像が白く飛んだ画像となるのを防止または抑制することができる。
【０１３０】
［付記３］  前記主被写体検出部は、前記主被写体に次いで重要度の高い副被写体を検出する機能を備え、前記画素レベル調整部は、主被写体の被写体距離と前記副被写体の被写体距離との関係に応じて、前記画素信号の画素値を再調整することを特徴とする付記１または２に記載のカメラ。
【０１３１】
この発明によれば、主被写体の被写体距離と前記副被写体の被写体距離との関係に応じて、前記画素信号の画素値を再調整するようにしたので、撮像部から出力される画素信号の画素値を調整することで副被写体の画像が白く飛んだ画像となるのを防止または抑制することができる。
【０１３２】
［付記４］  前記主被写体検出部は、前記主被写体に次いで重要度の高い副被写体を検出する機能を備え、前記画素レベル調整部は、撮像領域の中心部から主被写体までの距離と前記中心部から副被写体までの距離との関係に応じて、前記画素信号の画素値を再調整することを特徴とする付記１ないし３のいずれかに記載のカメラ。
【０１３３】
この発明によれば、撮像領域の中心部から主被写体までの距離と前記中心部から副被写体までの距離との関係に応じて、前記画素信号の画素値を再調整するようにしたので、撮像部から出力される画素信号の画素値を調整することで他の被写体の画像が白く飛んだ画像となるのを防止または抑制することができる。
【図面の簡単な説明】
【０１３４】
【図１】本発明に係るカメラの構成を示す正面図である。
【図２】同じくカメラの背面図である。
【図３】（ａ）は、本実施形態における測距部の内部構成を示す断面図、（ｂ）は、測距部の構成を示す図である。
【図４】撮影者が測距点を指定できるモードを説明するための図である。
【図５】カメラの構成を示すブロック図である。
【図６】撮影領域内の被写体に閃光を照射した場合に、その撮影領域の中心領域と周辺領域との照射光の光量差の一例をＥＶ値で表した図である。
【図７】撮影領域内の被写体の光像を撮影レンズを透過させたとき、撮影領域の中心領域と周辺領域との透過光の光量差の一例をＥＶ値で表した図である。
【図８】測距部の各画素とブロックとを対応付ける方法を説明するための図である。
【図９】図６に示すフラッシュ配光特性と図７に示す像面照度特性とに基づき、撮影領域内の全ての領域について相対光量値の光量分布を求めた図である。
【図１０】フラッシュ配光特性及び像面照度特性と主被写体の撮影領域における位置に応じた光量補正を説明するための図である。
【図１１】副被写体の画像が白飛びする状況を説明するための図である。
【図１２】露光量補正処理を含む一連の撮像動作を示すフローチャートである。
【図１３】追尾モードを説明するための図である。
【図１４】測距センサ部の変形形態を示す図である。
【符号の説明】
【０１３５】
２    撮像光学系
１０  測距部
１１  フラッシュ
１８  絞り
２０  撮像素子
２１  信号処理部
３５  被写体輝度検出部
３６  露出制御値算出部
３７  焦点距離算出部
３８  主副被写体検出部
３９  ガイドナンバー算出部
４０  ガイドナンバー補正部
４１  ガイドナンバー再補正部
４２  発光制御部
【図１】
2005055570.tif 000003
【図２】
2005055570.tif 000004
【図３】
2005055570.tif 000005
【図４】
2005055570.tif 000006
【図５】
2005055570.tif 000007
【図６】
2005055570.tif 000008
【図７】
2005055570.tif 000009
【図８】
2005055570.tif 000010
【図９】
2005055570.tif 000011
【図１０】
2005055570.tif 000012
【図１１】
2005055570.tif 000013
【図１２】
2005055570.tif 000014
【図１３】
2005055570.tif 000015
【図１４】
2005055570.tif 000016